(57)【特許請求の範囲】
【請求項１】
糸張力を調節するためのダイヤルと、ダイヤルに回動可能に装着され、外周に目盛りを表示したリングと、ダイヤルとリングとに外嵌して両者を圧着し、摩擦保持するゴムないしプラスチック性の弾力性のある環状のバンドとを有することを特徴とするミシンの糸調子器。
【請求項２】
バンドは表面が凹凸ないしギザギザに形成される請求項１記載のミシンの糸調子器。
【請求項３】
ミシンは、オーバーロックミシンである請求項１又は２に記載のミシンの糸調子器。
【発明の詳細な説明】
【０００１】
【産業上の利用分野】
本発明は、ミシンことにオーバーロックミシンなど多数本の糸を使用するミシンに適した糸調子器に関する。
【０００２】
【従来技術】
糸に張力を付与するミシンの糸調子器は、例えば本縫いミシンでは一つ、複数本の針を使用する本縫いミシンでは針糸ごとに複数設けられ、またオーバーロックミシンでは、針糸とルーパ糸の各糸に対応して複数設けられるのが常である。いづれのミシンにあっても糸調子器は一般に、糸張力を調整するためのダイヤルを有し、ダイヤルには図１に示すように、糸張力の指標となる目盛り１を円周上に表示したリング２が回動かつ摺動可能で、歯３を抜き差し可能に噛み合わせることにより位置調整可能に取付けられ、工場からの出荷時には、標準縫いの糸張力にセットし、かつリング２の取付位置を変え、標準縫い時の目盛をミシンフレーム等に付した指針に合わせていた。
【０００３】
図２は、二本針四本糸のオーバーロックミシンにおける糸調子器について示すもので、工場出荷時には、各糸の張力が標準縫いのテンションバランスとなるように設定され、このときの各糸調子器５のダイヤル６上の目盛は、いづれも例えば図示するように「３」がそれぞれ指針７と合うようにセットしていた。
【０００４】
【発明が解決しようとする課題】
ミシンの糸張力を適正な縫い目が形成されるように調節するのは容易でなく、ことにオーバーロックミシンの場合、各糸の張力が適正なテンションバランスとなるようにセットするのは容易でない。工場出荷時には上述するように、標準縫いの糸張力にセットしているが、縫製時において作業者とくに、熟練者は往々にして標準縫い時の張力を好みの張力に変えて使用している。上述の二本針四本糸のオーバーロックミシンを例にとっていえば、上糸の締め具合やルーパ糸の弛み具合など糸と布の種類と性状に応じて例えば、図３に示すような好みのテンショッバランスに設定している。
【０００５】
図３に示すようなションバランスを好みとする作業者は、これを標準縫いとして表示部の数値を図２のように変更しようとする場合、従来はカバーを外し、ついで図１に示すようにリング２を矢印方向に抜いて歯３の噛み合いを外したのち、リング２を回動し、「３」が指針と合致した状態でリング２を押込んで歯３の噛み合わせを行っていた。
【０００６】
本発明は、テンションを変えずに表示のみの変更が容易に、かつ簡単に行えるようなミシンの糸調子器を提供することを目的とする。
【０００７】
【課題の解決手段及び作用】
本発明のミシンの糸調子器は、糸張力を調節するためのダイヤルと、ダイヤルに回動可能に装着され、外周に目盛りを表示したリングと、ダイヤルとリングとに外嵌して両者を圧着し、摩擦保持するゴムないしプラスチック性の弾力性のある環状のバンドとを有することを特徴とする。
【０００８】
本発明の糸調子器によれば、糸張力の調節をするときには、ダイヤル、バンド及びリングの少なくとも一カ所を指で掴んで回すことによって行われる。これにより、バンドを介してダイヤル及びリングが一体となって回動する。
表示の変更を行うときには、ダイヤルとバンドを指で押えた状態でリングをバンドとの摩擦力に抗して回す。
【０００９】
本発明の糸調子器で用いられるバンドは、表面を凹凸状ないしギザギザにするのが望ましい。これによりバンドを回し、或いは固定するときのスリップ止めになり、指の感触がよくなると共に、外観上も高級感をもたらすようになる。
【００１０】
本発明の糸調子器は、本縫いミシン、オーバーロックミシンその他糸調子器を使用するミシン全般に使用できるが、なかでも上糸とルーパ糸に適正なテンションバランスが要求されるオーバーロックミシンに使用するのが望ましい。
【００１１】
【実施例】
図示省略したミシンアームに取付けられるブラケット１１には、段付状のネジ軸１２が側方に突設され、これに一対の調子皿１３と、バネ受け１４と、コイルバネ１５が順に嵌挿されたのち、ネジリング１６が捩込まれ、ついで図５に示されるダイヤル１７の内側に突設される凸状片１８をネジリング１６の外歯１９に差込みながらダイヤル１７をネジ軸１２に嵌挿し、Ｅリング２０で固定している。
【００１２】
段状をなして高部の円周上に目盛り２１を表示したリング２２は、内周の一端に突設したノッチ２３がダイヤル１７の外周側の周溝２４に傾斜部２５より強制嵌合されることにより、ダイヤル１７に回動可能に装着され、リング２２の段２２ａとダイヤル１７の鍔部１７ａとの間に外周をギザギザに加工したゴム輪２６が強制嵌合され、リング２２とダイヤル１７に圧着している。図中、２７はブラケット１１より側方に突設され、各調子皿１３の溝１３ａに嵌合して調子皿の回転止めを行うストッパーピンである。
【００１３】
図７は、上述するようにして構成される糸調子器Ａのミシンへの取付状態を示すもので、カバー２８の切欠部２８ａにダイヤル１７、ゴム輪２６及びリング２２の一部が露出し、糸通し溝２９を通して糸が調子皿１３間に通されるようになっている。
本実施例の糸調子器は以上のように構成され、糸張力の調節は、ゴム輪２６を指で押えて回すことにより行う。すなわちゴム輪２６を回すと、これと共にダイヤル１７とリング２２が同時に回動し、ダイヤル１７の回動によりネジリング１６が捩込む方向に、或いは逆方向に回動してコイルバネ１５のバネ圧を加減する。
【００１４】
リング２２の目盛り表示を変えるときには、ダイヤル１７とゴム輪２６を一方の指で押えて固定した状態で、他方の指でリング２２をゴム輪２６との摩擦力に抗して回動させる。
別の実施例では、上述するゴム輪２６を省いてリング２２の内周に突起を形成すると共に、ダイヤル１７の外周に周方向に一定間隔で窪みを多数形成し、リング２２をダイヤル１７に装着した状態で突起を窪みに係脱可能に嵌合させる。
【００１５】
本実施例においては、糸張力調節のため、ダイヤル１７を回動すると、これと一体となってリング２２も同時に回動する。目盛り表示を変えるときには、ダイヤル１７を指で押えて固定した状態で、リング２２を回動させる。回動時には突起は窪みを次々と乗り越える。
【００１６】
【発明の効果】
本発明の糸調子器によれば、糸張力を調節するためのダイヤルを固定した状態でリングを回動するだけの操作により、テンションを変えないで目盛りの表示を容易かつ簡単に変えることができる。
またバンドの表面を凹凸ないしギザギザに形成したものにおいては、スリップしにくいため、バンドを固定したり、回したりする操作が容易となり、手触りもよく、また外観上も高級感を呈するようになる。
【図面の簡単な説明】
【図１】目盛りの表示を変える従来法を示す図。
【図２】オーバーロックミシンに設けられる糸調子器の標準縫い時の状態を示す図。
【図３】作業者が好みのテンションバランスにしたときの状態を示す図。
【図４】本発明に係る糸調子器の分解斜視図。
【図５】ダイヤルを拡大した斜視図。
【図６】糸調子器の断面図。
【図７】ミシンに取付けた糸調子器の斜視図。
【符号の説明】
１１・・・ブラケット                  １２・・・ネジ軸
１３・・調子皿                        １５・・・コイルバネ
１６・・ネジリング                    １７・・・ダイヤル
１８・・・凸状片                      １９・・・外歯
２１・・・目盛り                      ２２・・・リング
２３・・ノッチ                        ２４・・・周溝
２６・・ゴム輪                        ２８・・・カバー
２９・・糸通し溝
【図１】
0003550418.tif 000002
【図２】
0003550418.tif 000003
【図３】
0003550418.tif 000004
【図４】
0003550418.tif 000005
【図５】
0003550418.tif 000006
【図６】
0003550418.tif 000007
【図７】
0003550418.tif 000008